(57)【要約】【課題】開閉体が枠体に対して内開き式に開閉自在に設けられる開閉装置において、施錠装置の施錠体を隠して防犯性を損なうことなく、しかも、異常時における開閉体の強制開放が容易にできる構成とする。【解決手段】戸先側ドア枠７の室外側に閉鎖状態のドア体３の外側面部３ｃに対向する戸当たり部７ｃを形成し、前記戸当たり部７ｃが、ドア体３の戸先側端面部３ｇとドア体対向片７ｂとの間の隙間を覆い、該隙間に露出する施錠装置１０の施錠体１０ｂを目隠しするよう構成し、戸当たり部７ｃに、エンジンカッターの刃先１１を、室外側から前記隙間に露出する施錠体１０ｂに向けて誘導する誘導部としての凹溝状部７ｆを設ける構成とする。【選択図】図２
2010150746.tif 000002
【特許請求の範囲】
【請求項１】
開口部に設けられる枠体に開閉体を開閉自在に支持する一方、戸先側の枠体の室外側に、閉鎖状態の開閉体の室外側面に対向する戸当たり部を形成し、前記戸当たり部が、開閉体の戸先側端面部と該戸先側端面部に対向する枠体の開閉体対向部との間に形成される隙間を覆い、該隙間に露出する施錠装置の施錠体を目隠しするよう構成された内開き式の開閉装置において、前記戸当たり部の少なくとも施錠体の隙間露出部位に対向する位置には、エンジンカッターの刃先を室外側から施錠体の隙間露出部位に向けて誘導するための誘導部が設けられている開閉装置。
【請求項２】
戸当たり部は、室内外方向に対向する一対の内外側片を備えて構成されるものとし、誘導部は、外側片から内側片に向けて凹設される凹溝状部により構成されている請求項１に記載の開閉装置。
【請求項３】
凹溝状部は、溝底部が戸当たり部の一対の内外側片の間に位置するものとし、戸当たり部の内側片には、凹溝状部の溝底部対向部位に位置して貫通孔が形成されている請求項２に記載の開閉装置。
【請求項４】
凹溝状部は、溝底部が戸当たり部の一対の内外側片の間に位置するものとし、戸当たり部には、凹溝状部の溝底部を貫通したエンジンカッターの刃先を施錠体の隙間露出部位に向けて誘導する誘導片が形成されている請求項２または３に記載の開閉装置。
【請求項５】
凹溝状部は、溝底部が戸当たり部の内側片により構成されている請求項２に記載の開閉装置。
【発明の詳細な説明】
【技術分野】
【０００１】
本発明は、ホテルやマンション等の出入り口部に設けられる開閉装置の技術分野に属するものである。
【背景技術】
【０００２】
一般に、開閉装置のなかには、開口部に設けられるドア枠（枠体）にドア体（開閉体）を開閉揺動自在に枢支することにより構成したドア装置（開閉装置）があるが、このようなものにおいて、防犯上の観点から閉鎖状態のドア体の戸先側端面部と、該戸先側端面部に対向するドア枠のドア体対向部との間に施錠装置を設けて、施錠状態とした場合では、ドア体側の突起体（施錠体、デッドボルト）がドア枠側の錠受け部に没入することでドア体の開放が規制されるようにしている。この場合に、閉鎖状態のドア体の戸先側端面部とドア枠のドア体対向部との間には隙間が形成されるため、該隙間から施錠装置の施錠体が見えることになるが、このような状態は抉じ開け等の不法侵入が想定されて防犯上好ましくなく、隙間（施錠体）を隠すような部材を設けることが求められる。これに対し、室内で火災が発生する等の異常時では、前記隙間に位置する施錠装置の施錠体をエンジンカッターで切断してドア体を開放する事態が想定されるが、前記施錠体を覆う部材により室外側から隙間が覆われている場合では、施錠体の位置は特定できても隙間の位置を特定することができず、迅速に施錠体を切断する作業が難しいという問題がある。
【０００３】
この改善策として、ドア体を、ドア枠に対して室外側に開閉揺動する外開き式に構成する一方、ドア体の戸先にプレート体を設けて、閉鎖状態のドア体とドア枠との戸先側に形成される隙間を塞ぐことにより、施錠装置の施錠体を目隠しして防犯性を高めるようにするとともに、前記プレート体に、前記隙間の位置を示す目印を設けて、異常時では施錠装置の施錠体の切断を迅速に実施できるようにしたものが提唱されている。
【特許文献１】特開２００６−２５７８３０号公報
【発明の開示】
【発明が解決しようとする課題】
【０００４】
ところが、前記従来のものは、ドア体が外開き式に形成されるものであり、そのため、ドア体側に施錠装置の施錠体を覆う部材としてプレート体が設けられる構成であり、該プレート体に切断位置の目印が設けられており、目印に従ってプレート体を切断することで施錠体を切断することができる。これに対し、ドア体が室内側に開閉揺動するように構成される内開き式のドア装置では、施錠装置の施錠体を覆うための部材をドア体側に設けることはできず、前記特許文献をそのまま実施することはできない。
そして、ドア体を内開きにする場合では、ドア枠の室外側に形成される戸当たり部が、ドア枠とドア体との戸先側の隙間を塞ぎ施錠装置の施錠体を目隠しすることになり、戸当たり部に切断位置を示す目印を設けることが想定されるが、戸当たり部は、断熱、防音、強度等の観点から室内外方向に適宜間隔（厚さ）を存して形成されるものがあり、この場合では、エンジンカッターの刃先がドア枠とドア体との間の施錠体に達するまでに距離があり、戸当たり部に目印を設けただけでは正確、かつ、迅速に施錠体を切断するのが難しいという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部に設けられる枠体に開閉体を開閉自在に支持する一方、戸先側の枠体の室外側に、閉鎖状態の開閉体の室外側面に対向する戸当たり部を形成し、前記戸当たり部が、開閉体の戸先側端面部と該戸先側端面部に対向する枠体の開閉体対向部との間に形成される隙間を覆い、該隙間に露出する施錠装置の施錠体を目隠しするよう構成された内開き式の開閉装置において、前記戸当たり部の少なくとも施錠体の隙間露出部位に対向する位置には、エンジンカッターの刃先を室外側から施錠体の隙間露出部位に向けて誘導するための誘導部が設けられている開閉装置である。
請求項２の発明は、戸当たり部は、室内外方向に対向する一対の内外側片を備えて構成されるものとし、誘導部は、外側片から内側片に向けて凹設される凹溝状部により構成されている請求項１に記載の開閉装置である。
請求項３の発明は、凹溝状部は、溝底部が戸当たり部の一対の内外側片の間に位置するものとし、戸当たり部の内側片には、凹溝状部の溝底部対向部位に位置して貫通孔が形成されている請求項２に記載の開閉装置である。
請求項４の発明は、凹溝状部は、溝底部が戸当たり部の一対の内外側片の間に位置するものとし、戸当たり部には、凹溝状部の溝底部を貫通したエンジンカッターの刃先を施錠体の隙間露出部位に向けて誘導する誘導片が形成されている請求項２または３に記載の開閉装置である。
請求項５の発明は、凹溝状部は、溝底部が戸当たり部の内側片により構成されている請求項２に記載の開閉装置である。
【発明の効果】
【０００６】
請求項１の発明とすることにより、防犯性を損なうことなく、異常時に強制的に開閉体を開放する作業を作業性よく、かつ、迅速に行える。
請求項２の発明とすることにより、凹溝状部の溝側片により、刃先を誘導する誘導効果と、刃先のガタつきを防止する効果を得ることができる。
請求項３の発明とすることにより、施錠体を切断する作業を一層迅速に行うことができる。
請求項４の発明とすることにより、施錠体を切断する作業を、一層正確、かつ、迅速に行うことができる。
請求項５の発明とすることにより、施錠体を切断する作業を一層正確、かつ、迅速に行うことができる。
【発明を実施するための最良の形態】
【０００７】
つぎに、本発明の第一の実施の形態について、図面に基づいて説明する。
図面において、１はホテル等の建築物内に複数設けられる居室への出入り口部に設けられるドア装置であって、該ドア装置１は、躯体開口部に一体的に設けられる四周枠（枠体）２と、該四周枠２に開閉揺動自在に連結されるドア体（開閉体）３とにより構成されている。
【０００８】
前記ドア体３は、室内外一対の面板の四周を折曲し、間にコア材３ａを充填することで所定のドア厚を有したものに構成されており、室内外方向に対向する一対の内、外側面部３ｂ、３ｃと、これら内、外側面部３ｂ、３ｃの四周を連結する上下一対の端面部３ｄ、３ｅと、左右一対の端面部３ｆ、３ｇとがそれぞれ形成されている。
尚、３ｈはドア体３の開閉操作具となる把手である。
【０００９】
一方、前記四周枠２は、上下左右の各ドア枠４、５、６、７を枠組みすることにより構成されている。
これらドア枠４、５、６、７のうち、図１の図面に向かって左側に位置し、ドア体３が揺動自在に連結されて戸尻側となるドア枠６（以降、戸尻側ドア枠体）は、図２に示すように、上下方向長尺状の金属製板材を用い、適宜折曲、連結することにより上下方向中空状に形成されている。前記戸尻側ドア枠６は、躯体の開口端部に固定される固定片６ａと、該固定片６ａに対して左右方向所定間隙を存して対向し、ドア体３が閉鎖状態となった場合にドア体３の左側の端面部である戸尻側の端面部３ｆ（以降、戸尻側端面部）に対向するドア体対向片６ｂと、開口部側に突出状に形成され、閉鎖状態のドア体３の外側面部（室外側面）３ｃの戸尻側部位が近接対向する戸当たり部６ｃとが形成されている。そして、四周枠２とドア体３とは、ドア体対向片６ｂとドア体３の戸尻側端面部３ｆとの間に上下方向複数箇所に設けられた蝶番８を介して連結されており、これによって、ドア体３が室内側において開閉揺動する内開き式のドア装置１となるように構成されている。
【００１０】
また、戸尻側ドア枠６の戸当たり部６ｃは、前記ドア体対向片６ｂと固定片６ａとから開口部側にそれぞれ延出し、室内外方向に対向する一対の内、外側片６ｄ、６ｅを備えて構成されており、ドア体３が閉鎖状態となってドア体３の外側面部３ｃに対向したとき、戸尻側端面部３ｆとドア体対向片６ｂとの隣接部を塞ぐように構成されている。尚、戸当たり部６ｃは、所定間隙を存して対向する内、外側片６ｄ、６ｅを用いて構成することにより、室内外の断熱、防音、強度等の性能向上が図られている。
そして、ドア体３の外側面部３ｃに近接対向する戸当たり部６ｃの内側片６ｄはポケット状に形成されており、該ポケット状の内側片６ｄには弾性変形自在な気密材９が嵌着され、該気密材９の室内側端部が閉鎖状態のドア体３の外側面部３ｃに当接して室内外の気密性を高めるように構成されている。尚、この構成は、詳述しない上側ドア枠４についても同様の構成となっている。
【００１１】
一方、図１の図面に向かって右側（戸先側）に位置し、戸先側となるドア枠７（以降、戸先側ドア枠）は、図２に示すように、上下方向長尺状の金属製板材を用い、適宜折曲、連結することにより上下方向中空状に形成されている。前記戸先側ドア枠７は、躯体の開口端面に固定される固定片７ａと、該固定片７ａに対して左右方向所定間隙を存して対向し、ドア体３が閉鎖状態となった場合にドア体３の右側の端面部である戸先側の端面部３ｇ（以降、戸先側端面部）に対向するドア体対向片（本発明の開閉体対向部に相当する）７ｂと、開口部側に突出状に形成され、閉鎖状態のドア体３の外側面部３ｃの戸先側部位が近接対向する戸当たり部７ｃとが形成されている。そして、ドア体対向片７ｂとドア体３の戸先側端面部３ｇとの間には施錠装置１０が設けられているが、前記施錠装置１０は、ドア体３側に設けられる操作部１０ａの操作に基づいて戸先側端面部３ｇから出没自在に操作される施錠体（デッドボルト）１０ｂと、戸先側ドア枠７側に設けられ、ドア体対向片７ｂから躯体側に退避するように形成される凹溝状の錠受け体１０ｃとにより構成されており、ドア体３の閉鎖状態において、操作部１０ａの操作に基づいて施錠体１０ｂを戸先側端面部３ｇから突出させることにより、施錠体１０ｂの突出端部が錠受け部１０ｃに没入する施錠状態となって、ドア体３の開放作動を規制するように構成されている。
因みに、施錠装置としては、施錠体を枠体側に、錠受け体をドア体側に設ける構成であってもよい。
【００１２】
また、戸先側ドア枠７の戸当たり部７ｃは、前記戸尻側ドア枠６と同様に、ドア体対向片７ｂと固定片７ａとから開口部側にそれぞれ延出し、室内外方向に対向する一対の内、外側片７ｄ、７ｅを備えて構成されており、ドア体３が閉鎖状態となってドア体３の外側面部３ｃに対向したとき、戸先側端面部３ｇとドア体対向片７ｂとの間に形成される隙間を室外側から塞ぐように構成されている。そして、ドア体３の外側面部３ｃに近接対向する戸当たり部７ｃの内側片７ｄはポケット状に形成されており、該ポケット状の内側片７ｄには弾性変形自在な気密材９が嵌着され、該気密材９の室内側端部が閉鎖状態のドア体３の外側面部３ｃに当接して室内外の気密性を高めるように構成されている。さらに、ドア体３の閉鎖状態において、戸先側ドア枠７とドア体３との間に形成される隙間は戸当たり部７ｃにより覆われており、これによって、施錠装置１０の施錠体１０ｂは戸当たり部７ｃにより目隠しされて室外側から臨むことはできず、防犯性が損なわれることはない。
ここで、本発明が実施されたドア装置１は耐震構造に構成されており、ドア体３の戸先側端面部３ｇと戸先側ドア枠７のドア体対向片７ｂとの間隔が広く設定されている。このため、施錠装置１０の配設部位については、錠受け体１０ｃをドア体対向片７ｂよりもドア体３側に偏寄して設けられて、戸先側端面３ｇとドア体対向片７ｂとの間隔よりも狭められている。このため、本実施の形態では、施錠体１０ｂが露出する隙間として、戸先側端面部３ｇと錠受け体１０ｃとで設定される対向間隔Ｓの隙間となっている。そして、施錠装置１０の施錠状態において、火災等の異常時にドア体３を強制的に開放する場合では、前記対向間隔Ｓに設定される隙間に露出する施錠体１０ｂ（施錠体１０ｂの隙間露出部位）を切断することで迅速に開放することができる。
【００１３】
これに対し、前記隙間を塞ぐ戸当たり部７ｃには、戸当たり部７ｃにより覆蓋される戸先側端面部３ｇとドア体対向片７ｂとの間に形成される隙間に対して内外方向に対向する部位に位置して誘導部が形成され、該誘導部により、エンジンカッターの刃先１１を施錠体１０ｂの隙間露出部位に向けて誘導するように構成されている。ここで、本実施の形態において、施錠体１０ｂが露出する隙間は、戸先側端面部３ｇと錠受け体１０ｃとの対向間隔Ｓに設定される隙間となっている。このため、戸当たり部７ｃに形成される誘導部は、前記対向間隔Ｓに設定される隙間に対して刃先１１を誘導するように構成して、ドア体３の強制的な開放が迅速になるようにしている。尚、誘導部の誘導方向は、必ずしも対向間隔Ｓにする限定されることはなく、戸先側端面部３ｇとドア体対向片７ｂとの間に形成される隙間であれば、ドア体３や戸先側ドア枠７を切断することなく施錠体１０ｂを切断することが可能であり、このようにしてもよい。
前記誘導部は、戸当たり部７ｃの外側片７ｃの上下方向全長にわたって形成され、内側片７ｄに向けて凹設された凹溝状部７ｆにより構成されている。前記凹溝状部７ｆは、左右方向に対向する一対の溝側片７ｇ、７ｈと、これら溝側片７ｇ、７ｈの端縁部を連結する溝底部７ｉとにより構成されており、平板状に形成される溝底部７ｉは、内側片７ｄと外側片７ｅとの間に位置して形成されている。さらに、本実施の形態の凹溝状部７ｆは、溝側片７ｇ、７ｈの対向間隔となる溝幅Ｈの幅方向中心位置が、前記戸先側端面部３ｇと錠受け体１０ｃとの対向間隔Ｓにおける中心線Ｍとほぼ同位置となる部位に位置するように設定されており、溝幅Ｈは、エンジンカッターの刃先１１が挿入可能な長さに設定されている。
尚、本実施の形態の戸先側ドア枠７は、戸当たり部７ｃの凹溝状部７ｆとポケット状の内側片７ｄをそれぞれ精度よく折曲形成するため、複数の板材を適宜折曲したものを一体化することにより形成しているが、必ずしも複数の板材を用いる必要はない。
【００１４】
このように構成された戸先側ドア枠７を備えたドア装置１において、異常事態が発生してエンジンカッターにより施錠体１０ｂを切断してドア体３を強制的に開放しようとする場合では、ドア体３の施錠装置１０の操作具１０ａの横方向（戸先側）に位置する戸先側ドア枠７の凹溝状部７ｆに対し、室外側からエンジンカッターの刃先１１を挿し込んで室内側に向かって切進むことにより、凹溝状部７ｆの溝側片７ｇ、７ｈが刃先１１の両側面をガイドするように機能して、刃先１１を対向間隔Ｓに設定される隙間に誘導して、該隙間に露出する施錠体１０ｂを容易に切断できるように構成されている。さらに、このとき、凹溝状部７ｆの溝側片７ｇ、７ｈは、刃先１１のガタつきを防止するように機能して、刃先１１が位置決めされた状態で切断作業をすることができる。そして、凹溝状部７ｆの溝底部７ｉを切断した状態では、刃先１１は溝底部７ｉの切断部によるガイドと、該ガイド位置よりも基端側部位が溝側片７ｇ、７ｈのガイドを受ける状態となり、そのまま刃先１１を室内側に変位させることにより、刃先１１が内側片７ｄに誘導され、ガタつきが防止された状態で内側片７ｄを切断できるように構成されている。そして、この状態から刃先１１をさらに室内側に押し込むことで、刃先１１が前記対向間隔Ｓに設定される隙間に正確に誘導され、該隙間に露出する施錠体１０ｂを切断できるように構成されており、これによって、施錠体１０ｂの切断作業が正確、かつ、作業性よく行えることになって、迅速にドア体３を開放できるように構成されている。
尚、ドア体３と戸先側ドア枠７との間に形成される隙間は、ドア体３の内側面部３ｂに沿い、戸先側端面部３ｇから戸先側に向けて突出形成されるプレート部３ｉにより覆われて、室内側からも施錠状態の施錠体１０ａが見えないようにして意匠性の向上が図られているが、戸先側ドア枠７には、前記プレート部３ｉが積層するための段差状部７ｊが形成されている。
【００１５】
叙述の如く構成された本形態において、ドア体３が室内側に開閉揺動する内開き式のドア装置１において、ドア体３を四周枠２に施錠する施錠装置１０の施錠体１０ｂは、戸先側ドア枠７のドア体対向片７ｂとドア体３の戸先側端面部３ｇとのあいだの隙間から外部に露出するが、該露出する施錠体１０ｂは、戸先側ドア枠７に形成される戸当たり部７ｃにより覆蓋されていて防犯効果を得ることができる。さらに、戸先側ドア枠７の戸当たり部７ｃには前記施錠体１０ｂが露出する隙間に誘導する誘導部としての凹溝状部７ｆが形成されていて、該凹溝状部７ｆに、エンジンカッターの刃先１１を室外側から挿し込むことにより、刃先１１を前記隙間に正確に誘導することができ、施錠体１０ｂの切断作業を迅速、かつ、容易に行うことができる。この結果、内開き式で、戸先側ドア枠７の戸当たり部７ｂにより施錠体１０ｂを目隠しして防犯性を損なうことがないように構成されたドア装置１であっても、異常時に強制的にドア体３を開放する作業を作業性よく、かつ、迅速に行うことができる。
【００１６】
さらに、本発明が実施されたものにあっては、断熱、防音、強度の向上を図るため室内外方向に対向する一対の内、外側片７ｄ、７ｅを用いて構成されるが、誘導部としての凹溝状部７ｆは、一対の溝側片７ｇ、７ｈと溝底部７ｉとを有して構成されているので、溝側片７ｇ、７ｈが、施錠体１０ｂが露出する隙間に向けた誘導効果を得ることができるとともに、エンジンカッターの刃先１１の側面をガイドして刃先１１のガタつきを防止する効果も得ることができる。
【００１７】
尚、本発明は前記第一の実施の形態に限定されないことは勿論であって、誘導部は戸先側の枠体の全長に設ける必要はなく、施錠状態の施錠体が対向する部位にのみ設ける構成としてもよい。
また、第一の実施の形態のように構成した戸当たり部において、戸当たり部を構成する内側片に、凹溝状部の溝底部に対向する部位に位置して貫通孔を形成する構成としてもよく、このようにすることにより、エンジンカッターによる切断時に、凹溝状部の溝底部を切断するだけで、隙間に露出する施錠装置の施錠体に達することができるので、切断時間が短縮されてドア体の強制開放をさらに迅速に行うことができる。
【００１８】
さらに、誘導部としては種々の形状を提唱することができる。尚、他の実施例を説明するにあたり、前記第一の実施の形態と同様の部材構成については、同様の符号を付すことにより説明を省略する。
図３（Ａ）に示す第二の実施の形態の戸当たり部１２に形成される誘導部は凹溝状部１２ａにより構成されるが、該凹溝状部１２ａは、左右方向に対向する溝側片１２ｂが溝底側において互いに近接する傾斜片で形成されており、角形状の溝底部が形成されたものとなっている。また、図３（Ｂ）、（Ｃ）に示す第三、第四の実施の形態の戸当たり部１３、１４の誘導部は、凹溝形状であるが一方の溝側片１３ａ、１４ａは室内外方向に沿って形成され、他方の溝側片１３ｂ、１４ｂは溝底側において一方の溝側片１３ａ、１４ａに近接する傾斜片により構成され、それぞれ鋭角状の溝底部が形成されたものとなっている。そして、第二〜第四の実施の形態の誘導部は、何れのものも各凹溝形状の溝側片１２ｂ、１３ａ、１３ｂ、１４ａ、１４ｂがエンジンカッターの刃先を隙間に露出する施錠体１０ｂに向けて誘導して、迅速なドア体３の開放ができる。
また、図４（Ａ）、（Ｂ）の第五、第六の実施の形態の戸当たり部１５、１６に形成される誘導部は、それぞれの外側片１５ａ、１６ａに貫通孔１５ｂ、１６ｂを形成し、第五の実施の形態の貫通孔１５ｂの孔縁には溝底部が平板状に形成された凹溝状部１５ｃを、第六の実施の形態の貫通孔１６ｂの孔縁には溝側片が傾斜状に形成され、角形状の溝底部が形成された凹溝状部１６ｃを、それぞれ室内側から固定することにより構成されている。そして、第五、第六の実施の形態の誘導部は、凹溝状部１５ｃ、１６ｃの溝側片がエンジンカッターの刃先を隙間に露出する施錠体１０ｂに向けて誘導して、迅速なドア体３の開放ができる。
【００１９】
さらに、図５（Ａ）に示す第七の実施の形態のものは、戸当たり部１７の誘導部は、外側片１７ａに貫通孔１７ｂを形成し、該貫通孔１７ｂの孔縁に、平板状のプレート体１７ｃを室内側から固定することにより、貫通孔１７ｂの孔端面を溝側片とし、プレート体１７ｃを溝底部とする凹溝状部に構成されており、この場合では、溝側片である貫通孔１７ｂの孔端面がエンジンカッターの刃先を隙間に露出する施錠体に向けて誘導して、迅速なドア体の開放ができる。また、図５（Ｂ）に示す第八の実施の形態のものは、戸当たり部１８の外側片１８ａの室外側に、隙間に対応する箇所に貫通孔１９ａが開設されたプレート体１９を設けることにより、貫通孔１７ｃの孔端面を溝側片とし、外側片１８ａを溝底部とする凹溝状部で構成された誘導部が形成されており、この場合では、溝側片であるプレート体貫通孔１９ａの孔端面がエンジンカッターの刃先を隙間に露出する施錠体１０ｂに向けて誘導して、迅速なドア体３の開放ができる。さらに、このものでは、戸当たり部の外面にプレート体を取り付けるだけの簡単な構成で誘導部を形成することができるので、既設の戸当たり部に対して容易に後付けできるという利点もある。
【００２０】
一方、図６（Ａ）、（Ｂ）に示す第九、十の実施の形態は、戸当たり部２０、２１の外側片２０ａ、２１ａに、前記第一の実施の形態と同様の構成の凹溝状部２０ｂ、２１ｂによる誘導部が形成されているともに、内側片２０ｃ、２１ｃには、前記凹溝状部２０ｂ、２１ｂの溝底部対向部位に位置して貫通孔２０ｄ、２１ｄが開設されている。さらに、内側片２０ｃ、２１ｃの貫通孔２０ｄ、２１ｄの孔縁には、凹溝状部２０ｂ、２１ｂの溝底部側に向けて突出する誘導片２０ｅ、２１ｅが形成されている。そして、このものでは、エンジンカッターの刃先を、凹溝状部２０ｂ、２１ｂの溝側片が誘導するとともに、凹溝状部２０ｂ、２１ｂの溝底部を切断して貫通した状態では、凹溝状部２０ｂ、２１ｂと内側片２０ｃ、２１ｃとの間に位置する誘導片２０ｅ、２１ｅが誘導することになって、隙間に位置する施錠体１０ｂに向けて刃先を誘導する機能が一層向上して、正確、かつ、迅速にドア体３を開放することができる。尚、第十の実施の形態のものでは、誘導片２１ｅの対向間隔が室外側ほど拡開するように形成されているので、刃先が位置ズレしたような場合であっても、切進む方向を修正することができて正確に施錠体１０ｂを切断できる。
尚、誘導片は、所定間隙を存して設けられる戸当たり部の内、外側片の間に形成されることにより、エンジンカッターの刃先を外側片に形成される誘導部から隙間に露出する施錠体に向けて誘導する正確性を一層高めるようにするものである。このため、誘導片は、誘導部の形状が必ずしも前記第九、十の実施の形態のものに限定されることなく、誘導部が内側片に達することがないような形状のものであればどのよう形状の誘導部に対しても設けることができる。
【００２１】
さらに、図７（Ａ）に示す第十一の実施の形態は、戸当たり部２２に形成される誘導部として、外側片２２ａに凹溝状部２２ｂが形成されるが、該凹溝状部２２ｂは溝底部が内側片２２ｃとなるように構成されている。そして、この場合では、凹溝状部２２ｂの溝底部としての内側片２２ｃを切断すれば、施錠体１０ｂが露出する隙間に達することができて、一層迅速、かつ、正確なドア体３の開放を期待できる。
また、図７（Ｂ）に示す第十二の実施の形態は、ドア体３と戸先側ドア枠２３とのあいだに設けられる施錠装置２４の錠受け体２４ａが、戸先側ドア枠２３のドア体対向片２３ａと面一状に設けられている。この場合に、戸先側ドア枠２３の戸当たり部２３ｂに設けられる誘導部となる凹溝状部２３ｃは、ドア体３の戸先側端面部３ｇとドア体対向片２３ａとの間に形成される隙間に対して内外方向に対向する部位に位置して形成されており、このようにしても、エンジンカッターの刃先を隙間に露出する施錠体２４ｂに誘導して、迅速にドア体３を開放することができる。
さらに、図７（Ｃ）に示す第十三の実施の形態は、戸当たり部２５に形成される誘導部として、凹溝状部ではなく、外側片２５ａから内側片２５ｂに向くガイド片２５ｃが形成されている。そして、このものでも、エンジンカッターの刃先をガイド片２５ｃに沿って切進むことにより、隙間に露出する施錠体１０ｂを切断することが可能である。
さらに、誘導部としては、前記実施の形態に限定されることはなく、例えば外側片に凹溝状部の換りに貫通孔を形成するだけでもよい。この場合に、貫通孔の孔奥であって、内、外側片の間に位置して誘導片を形成する構成とすれば、エンジンカッターの刃先を一層正確に施錠体に誘導することができる。
【図面の簡単な説明】
【００２２】
【図１】ドア装置の室外側からの正面図である。
【図２】ドア装置の一部を切欠いた横断面図である。
【図３】図３（Ａ）、（Ｂ）、（Ｃ）はそれぞれ第二、第三、第四の実施の形態におけるドア装置の一部を切欠いた横断面図である。
【図４】図４（Ａ）、（Ｂ）はそれぞれ第五、第六の実施の形態におけるドア装置の一部を切欠いた横断面図である。
【図５】図５（Ａ）、（Ｂ）はそれぞれ第七、第八の実施の形態におけるドア装置の一部を切欠いた横断面図である。
【図６】図６（Ａ）、（Ｂ）はそれぞれ第九、第十の実施の形態におけるドア装置の一部を切欠いた横断面図である。
【図７】図７（Ａ）、（Ｂ）、（Ｃ）はそれぞれ第十一、第十二、第十三の実施の形態におけるドア装置の一部を切欠いた横断面図である。
【符号の説明】
【００２３】
１    ドア装置
２    四周枠
３    ドア体
３ｃ    外側面部
３ｇ    戸先側端面部
６    戸尻側ドア枠
６ｃ    戸当たり部
７    戸先側ドア枠
７ｂ    ドア体対向片
７ｃ    戸当たり部
７ｅ    外側片
７ｆ    凹溝状部
７ｇ    溝側片
７ｉ    溝底部
１０    施錠装置
１０ｂ    施錠体
１１    刃先
【図１】
2010150746.tif 000003
【図２】
2010150746.tif 000004
【図３】
2010150746.tif 000005
【図４】
2010150746.tif 000006
【図５】
2010150746.tif 000007
【図６】
2010150746.tif 000008
【図７】
2010150746.tif 000009